【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
ＯＦＤＭ方式を用いて生成された変調信号を送信する基地局の送信方法であって、
単位時間毎に、それぞれ１つ以上のキャリアを含む複数のキャリア群を構成し、
前記複数のキャリア群に対して、単位時間毎に、１又は複数の端末宛の送信データを割り当て、
単位時間毎に、前記複数のキャリア群の各キャリア群のフレーム構成として、１つの変調信号が１つのアンテナから送信される第１のフレーム構成、又は、複数の変調信号が複数のアンテナから送信され、前記複数の変調信号の各変調信号が互いに異なるアンテナから送信される第２のフレーム構成を選択し、
選択されたフレーム構成を用いて、前記各キャリア群に割り当てられた送信データを時間軸において同一時刻に送信する
基地局の送信方法。
【請求項２】
前記フレーム構成は、通信相手である前記端末からの電波伝搬環境情報に基づいて選択される
請求項１に記載の基地局の送信方法。
【請求項３】
第１の単位時間において、第１のキャリア群を用いて第１の端末宛の変調信号を送信し、かつ第２のキャリア群を用いて第２の端末宛の変調信号を送信し、
第２の単位時間において、前記第１のキャリア群を用いて、第３の端末宛の変調信号を送信し、かつ前記第２のキャリア群を用いて、前記第４の端末宛の変調信号を送信する
請求項１又は２に記載の基地局の送信方法。
【請求項４】
ＯＦＤＭ方式を用いて生成された変調信号を送信する基地局の送信方法であって、
第１の端末宛の変調信号が配置される第１のキャリア群と、第２の端末宛の変調信号が配置される第２のキャリア群とが存在する送信フレームを構成し、
前記第１のキャリア群のフレーム構成として、１つの変調信号が１つのアンテナから送信される第１のフレーム構成、又は、複数の異なる変調信号が複数のアンテナから送信され、前記複数の変調信号の各変調信号が互いに異なるアンテナから送信される第２のフレーム構成のいずれかを選択し、
前記第２のキャリア群のフレーム構成として、１つの変調信号が１つのアンテナから送信される第１のフレーム構成、又は、複数の異なる変調信号が複数のアンテナから送信され、前記複数の変調信号の各変調信号が互いに異なるアンテナから送信される第２のフレーム構成のいずれかを選択し、
選択されたフレーム構成を用いて、前記第１及び第２のキャリア群に割り当てられた送信データを時間軸において同一時刻に送信する
基地局の送信方法。
【請求項５】
前記フレーム構成は、前記第１の端末及び前記第２の端末からの電波伝搬環境情報に基づいて選択される
請求項４に記載の基地局の送信方法。
【請求項６】
第１の単位時間において、第１のキャリア群を用いて第１の端末宛の変調信号を送信し、かつ第２のキャリア群を用いて第２の端末宛の変調信号を送信し、
第２の単位時間において、前記第１のキャリア群を用いて、第３の端末宛の変調信号を送信し、かつ前記第２のキャリア群を用いて、前記第４の端末宛の変調信号を送信する
請求項４又は５に記載の基地局の送信方法。
【請求項７】
前記電波伝搬環境情報は、受信信号電界強度である
請求項２又は５に記載の基地局の送信方法。
【請求項８】
前記電波伝搬環境情報は、チャネル状態情報である
請求項２又は５に記載の基地局の送信方法。
【請求項９】
ＯＦＤＭ方式を用いて生成された複数の変調信号を１又は複数のアンテナから送信するための送信信号生成方法であって、
単位時間毎に、それぞれ１つ以上のキャリアを含む複数のキャリア群を構成し、
前記複数のキャリア群に対して、単位時間毎に、１又は複数の端末宛の送信データを割り当て、
単位時間毎に、前記複数のキャリア群の各キャリア群のフレーム構成として、１つの変調信号が１つのアンテナから送信される第１のフレーム構成、又は、複数の変調信号が複数のアンテナから送信され、前記複数の変調信号の各変調信号が互いに異なるアンテナから送信される第２のフレーム構成を選択し、
選択されたフレーム構成を用いて、前記各キャリア群に割り当てられた送信データを時間軸において同一時刻に送信するための送信信号を生成する
送信信号生成方法。
【請求項１０】
前記フレーム構成は、通信相手である前記端末からの電波伝搬環境情報に基づいて選択される
請求項９に記載の送信信号生成方法。
【請求項１１】
前記送信信号は、
第１の単位時間において、第１のキャリア群を用いて第１の端末宛の変調信号を送信し、かつ第２のキャリア群を用いて第２の端末宛の変調信号を送信し、
第２の単位時間において、前記第１のキャリア群を用いて、第３の端末宛の変調信号を送信し、かつ前記第２のキャリア群を用いて、前記第４の端末宛の変調信号を送信する
ものである請求項９又は１０に記載の送信信号生成方法。
【請求項１２】
ＯＦＤＭ方式を用いて生成された複数の変調信号を１又は複数のアンテナから送信するための送信信号生成方法であって、
第１の端末宛の変調信号が配置される第１のキャリア群と、第２の端末宛の変調信号が配置される第２のキャリア群とが存在する送信フレームを構成し、
前記第１のキャリア群のフレーム構成として、１つの変調信号が１つのアンテナから送信される第１のフレーム構成、又は、複数の異なる変調信号が複数のアンテナから送信され、前記複数の変調信号の各変調信号が互いに異なるアンテナから送信される第２のフレーム構成のいずれかを選択し、
前記第２のキャリア群のフレーム構成として、１つの変調信号が１つのアンテナから送信される第１のフレーム構成、又は、複数の異なる変調信号が複数のアンテナから送信され、前記複数の変調信号の各変調信号が互いに異なるアンテナから送信される第２のフレーム構成のいずれかを選択し、
選択されたフレーム構成を用いて、前記第１及び第２のキャリア群に割り当てられた送信データを時間軸において同一時刻に送信するための送信信号を生成する
送信信号生成方法。
【請求項１３】
前記フレーム構成は、前記第１の端末及び前記第２の端末からの電波伝搬環境情報に基づいて選択される
請求項１２に記載の送信信号生成方法。
【請求項１４】
前記送信信号は、
第１の単位時間において、第１のキャリア群を用いて第１の端末宛の変調信号を送信し、かつ第２のキャリア群を用いて第２の端末宛の変調信号を送信し、
第２の単位時間において、前記第１のキャリア群を用いて、第３の端末宛の変調信号を送信し、かつ前記第２のキャリア群を用いて、前記第４の端末宛の変調信号を送信する
ものである請求項１２又は１３に記載の送信信号生成方法。
【請求項１５】
前記電波伝搬環境情報は、受信信号電界強度である
請求項１０又は１３に記載の送信信号生成方法。
【請求項１６】
前記電波伝搬環境情報は、チャネル状態情報である
請求項１０又は１３に記載の送信信号生成方法。
【請求項１７】
ＯＦＤＭ方式を用いて変調信号を生成する変調信号生成部と、
前記生成された変調信号を複数のキャリアに割り当てて送信フレームを構成するフレーム構成部と、
前記複数のキャリアに割り当てられた送信データを送信する送信部と、
を具備する基地局の送信装置であって、
前記フレーム構成部は、
単位時間毎に、それぞれ１つ以上のキャリアを含む複数のキャリア群を構成し、
前記複数のキャリア群に対して、単位時間毎に、１又は複数の端末宛の送信データを割り当て、
単位時間毎に、前記複数のキャリア群の各キャリア群のフレーム構成として、１つの変調信号が１つのアンテナから送信される第１のフレーム構成、又は、複数の変調信号が複数のアンテナから送信され、前記複数の変調信号の各変調信号が互いに異なるアンテナから送信される第２のフレーム構成を選択するものであり、
前記送信部は、
前記フレーム構成部において選択されたフレーム構成を用いて、前記各キャリア群に割り当てられた送信データを時間軸において同一時刻に送信する
基地局の送信装置。
【請求項１８】
前記フレーム構成部において、通信相手である前記端末からの電波伝搬環境情報に基づいて、前記第１のフレーム構成、又は、前記第２のフレーム構成が選択される
請求項１７に記載の基地局の送信装置。
【請求項１９】
前記送信部は、
第１の単位時間において、第１のキャリア群を用いて第１の端末宛の変調信号を送信し、かつ第２のキャリア群を用いて第２の端末宛の変調信号を送信し、
第２の単位時間において、前記第１のキャリア群を用いて、第３の端末宛の変調信号を送信し、かつ前記第２のキャリア群を用いて、前記第４の端末宛の変調信号を送信する
請求項１７又は１８に記載の基地局の送信装置。
【請求項２０】
ＯＦＤＭ方式を用いて変調信号を生成する変調信号生成部と、
前記生成された変調信号を複数のキャリアに割り当てて送信フレームを構成するフレーム構成部と、
前記複数のキャリアに割り当てられた送信データを送信する送信部と、
を具備する基地局の送信装置であって、
前記フレーム構成部は、
第１の端末宛の変調信号が配置される第１のキャリア群と、第２の端末宛の変調信号が配置される第２のキャリア群とが存在する送信フレームを構成し、
前記第１のキャリア群のフレーム構成として、１つの変調信号が１つのアンテナから送信される第１のフレーム構成、又は、複数の異なる変調信号が複数のアンテナから送信され、前記複数の変調信号の各変調信号が互いに異なるアンテナから送信される第２のフレーム構成のいずれかを選択し、
前記第２のキャリア群のフレーム構成として、１つの変調信号が１つのアンテナから送信される第１のフレーム構成、又は、複数の異なる変調信号が複数のアンテナから送信され、前記複数の変調信号の各変調信号が互いに異なるアンテナから送信される第２のフレーム構成のいずれかを選択するものであり、
前記送信部は、
前記フレーム構成部において選択されたフレーム構成を用いて、前記第１及び第２のキャリア群に割り当てられた送信データを時間軸において同一時刻に送信する
基地局の送信装置。
【請求項２１】
前記フレーム構成部において、前記第１の端末及び前記第２の端末からの電波伝搬環境情報に基づいて、前記第１のフレーム構成、又は、前記第２のフレーム構成が選択される
請求項２０に記載の基地局の送信装置。
【請求項２２】
前記送信部は、
第１の単位時間において、第１のキャリア群を用いて第１の端末宛の変調信号を送信し、かつ第２のキャリア群を用いて第２の端末宛の変調信号を送信し、
第２の単位時間において、前記第１のキャリア群を用いて、第３の端末宛の変調信号を送信し、かつ前記第２のキャリア群を用いて、前記第４の端末宛の変調信号を送信する
請求項２０又は２１に記載の基地局の送信装置。
【請求項２３】
前記電波伝搬環境情報は、受信信号電界強度である
請求項１８又は２１に記載の基地局の送信装置。
【請求項２４】
前記電波伝搬環境情報は、チャネル状態情報である
請求項１８又は２１に記載の基地局の送信装置。
【手続補正２】
【補正対象書類名】明細書
【補正対象項目名】発明の名称
【補正方法】変更
【補正の内容】
【発明の名称】送信方法、送信信号生成方法およびそれを用いた送信装置
【手続補正３】
【補正対象書類名】明細書
【補正対象項目名】０００８
【補正方法】変更
【補正の内容】
【０００８】
しかしながら、従来の装置においては、複数の変調信号を多重していない。また、送信装置で複数の変調信号を多重して送信すると、受信装置では、送信された多重変調信号を分離、復調する際、高精度の分離、復調を行う必要があるという問題がある。
【手続補正４】
【補正対象書類名】明細書
【補正対象項目名】０００９
【補正方法】変更
【補正の内容】
【０００９】
本発明はかかる点に鑑みてなされたものであり、データの伝送速度、伝送品質の両立を図ることができる送信方法、送信信号生成方法およびそれを用いた送信装置を提供することを目的とする。
【手続補正５】
【補正対象書類名】明細書
【補正対象項目名】００１０
【補正方法】変更
【補正の内容】
【００１０】
本発明の送信方法の一つの態様は、ＯＦＤＭ方式を用いて生成された変調信号を送信する基地局の送信方法であって、単位時間毎に、それぞれ１つ以上のキャリアを含む複数のキャリア群を構成し、前記複数のキャリア群に対して、単位時間毎に、１又は複数の端末宛の送信データを割り当て、単位時間毎に、前記複数のキャリア群の各キャリア群のフレーム構成として、１つの変調信号が１つのアンテナから送信される第１のフレーム構成、又は、複数の変調信号が複数のアンテナから送信され、前記複数の変調信号の各変調信号が互いに異なるアンテナから送信される第２のフレーム構成を選択し、選択されたフレーム構成を用いて、前記各キャリア群に割り当てられた送信データを時間軸において同一時刻に送信する。
【手続補正６】
【補正対象書類名】明細書
【補正対象項目名】００１８
【補正方法】変更
【補正の内容】
【００１８】
本発明の送信装置の一つの態様は、ＯＦＤＭ方式を用いて変調信号を生成する変調信号生成部と、前記生成された変調信号を複数のキャリアに割り当てて送信フレームを構成するフレーム構成部と、前記複数のキャリアに割り当てられた送信データを送信する送信部と、を具備する基地局の送信装置であって、前記フレーム構成部は、単位時間毎に、それぞれ１つ以上のキャリアを含む複数のキャリア群を構成し、前記複数のキャリア群に対して、単位時間毎に、１又は複数の端末宛の送信データを割り当て、単位時間毎に、前記複数のキャリア群の各キャリア群のフレーム構成として、１つの変調信号が１つのアンテナから送信される第１のフレーム構成、又は、複数の変調信号が複数のアンテナから送信され、前記複数の変調信号の各変調信号が互いに異なるアンテナから送信される第２のフレーム構成を選択するものであり、前記送信部は、前記フレーム構成部において選択されたフレーム構成を用いて、前記各キャリア群に割り当てられた送信データを時間軸において同一時刻に送信する構成を採る。
【手続補正７】
【補正対象書類名】明細書
【補正対象項目名】００２７
【補正方法】変更
【補正の内容】
【００２７】
本発明によれば、周波数、時間により、１つの変調信号を送信する方法、複数の変調信号を多重し、送信する方法、のいずれかにより構成することができる。また、１つの変調信号を送信する方法で、重要度の高い情報を伝送することで、通信相手は的確に情報を得ることが可能となるといった効果を有する。また、通信状況により、１つの変調信号を送信する方法、複数の変調信号を多重し、送信する方法を、周波数軸又は時間軸で切り替えて通信を行うことで、情報の伝送速度、伝送品質を両立することができるという効果を有する。
【手続補正８】
【補正対象書類名】明細書
【補正対象項目名】００２８
【補正方法】変更
【補正の内容】
【００２８】
本発明の骨子は、送信装置では、複数の変調信号を多重して送信し、受信装置では、送信された多重変調信号を分離、復調することで、データの伝送速度を向上させることにより達成される。また、周波数、時間により、１つの変調信号を送信する方法、複数の変調信号を多重し、送信する方法、のいずれかにより構成することで、通信方式の１つの変調信号を送信する方法で、重要度の高い情報を伝送することで、通信相手は的確に情報を得ることが可能となる。また、通信状況により、１つの変調信号を送信する方法、複数の変調信号を多重し、送信する方法を周波数帯、時間帯で切り替えて通信を行うことで、情報の伝送速度、伝送品質を両立することができる。
【手続補正９】
【補正対象書類名】明細書
【補正対象項目名】００３８
【補正方法】変更
【補正の内容】
【００３８】
以下、シリアルパラレル変換部２０２、逆離散フーリエ変換部２０４、無線部２０６、電力増幅部２０８、アンテナ２１０にて、図１のチャネルＡの信号を処理して送信する部分について説明する。チャネルＡでは、図１に示すように、キャリア１〜１２に情報シンボル、推定用シンボル、制御用シンボルを配置して信号を送信する。
【手続補正１０】
【補正対象書類名】明細書
【補正対象項目名】００４７
【補正方法】変更
【補正の内容】
【００４７】
このように、あるチャネルにおいて、ガードシンボルを配置するキャリアと情報シンボルを配置するキャリアとを分け、別のチャネルでは、キャリア全てに情報シンボルを配して、同じキャリアを複数のチャネルで共用（多重）する。
【手続補正１１】
【補正対象書類名】明細書
【補正対象項目名】００９２
【補正方法】変更
【補正の内容】
【００９２】
図６は、本実施の形態の送信装置の構成の一例を示すブロック図である。情報生成部６０４は、ユーザや通信端末が必要としている、例えば、伝送速度、変調方式、伝送品質などの要求情報６０３に従って、データ６０１、電波伝搬環境情報６０２から送信ディジタル信号６０５を生成し、送信ディジタル信号６０５を変調信号生成部６０６に出力する。
【手続補正１２】
【補正対象書類名】明細書
【補正対象項目名】０１１４
【補正方法】変更
【補正の内容】
【０１１４】
（実施の形態３）
本発明の実施の形態３では、送信装置の送信フレームにおいて、多重した変調信号の周波数、多重していない変調信号の周波数、どちらの周波数の変調信号も復調可能な受信装置について説明する。
【手続補正１３】
【補正対象書類名】明細書
【補正対象項目名】０１１９
【補正方法】変更
【補正の内容】
【０１１９】
また、チャネルＣの信号は、チャネルＡとチャネルＢとは異なる周波数で送信される。図１０は、本実施の形態における基地局送信信号の周波数配置を示す図である。図１０において、縦軸はパワーを示し、横軸は周波数を示す。また、１００１はチャネルＡおよびチャネルＢの多重送信信号を示しており、周波数帯をｆ１とする。１００２はチャネルＣの送信信号を示しており、周波数帯をｆ２とする。このように、チャネルＣの信号はチャネルＡ及びチャネルＢとは異なる周波数で送信される。
【手続補正１４】
【補正対象書類名】明細書
【補正対象項目名】０１９８
【補正方法】変更
【補正の内容】
【０１９８】
（実施の形態５）
本発明の実施の形態５では、送信フレームに、多重していない時間の変調信号、多重した時間の変調信号を送信する送信装置、どちらの時間の変調信号も復調できる受信装置について説明する。
【手続補正１５】
【補正対象書類名】明細書
【補正対象項目名】０１９９
【補正方法】変更
【補正の内容】
【０１９９】
図１５は、本実施の形態におけるチャネルＡおよびチャネルＢの周波数−時間軸におけるフレーム構成の一例を示す図である。図１５において、縦軸は周波数を示し、横軸は時刻を示す。また、１０１はガードシンボル、１０２は情報シンボル、１０３は推定用シンボル、１０４は制御用シンボルである。このとき、ガードシンボル１０１は変調信号が存在しないシンボルであり、推定用シンボル１０３は時間同期、周波数同期、伝送路による歪みを推定するためのパイロットシンボルであり、制御用シンボル１０４は端末が制御に用いるための情報を伝送しているシンボルであり、情報シンボル１０２は情報を伝送するためのシンボルである。
【手続補正１６】
【補正対象書類名】明細書
【補正対象項目名】０２３１
【補正方法】変更
【補正の内容】
【０２３１】
図１７の受信装置の電波伝搬環境推定部１７０１で推定した電波伝搬環境情報１７０２は、図６の電波伝搬環境情報６０２に相当し、情報生成部６０４に入力される。